(57)【要約】【課題】出射パワーにより発生するレーザー光源の光軸の傾きや用いる波長による発光点位置にずれがあるとRF信号または記録発光パターンの戻り光などのノイズ成分により再生または記録中のウォブル信号C/Nが低下し、アドレス情報の読み取り性能が低下する。【解決手段】出射パワーに応じて変動するレーザー光源の光軸の傾きに対し、光検出器４０７より出力される光ディスク４０６のトラック方向に２分割された領域のＲＦ信号または記録発光パターンの戻り光の出力が２つの領域で等しくなるように、レーザー光源光軸角度調整可動部４１０にＤＣオフセットを注入し、ＬＤＵ４０１の取り付け角度を補正することでウォブル信号のノイズ成分が低減し、安定したアドレス情報の読み取り性能を有した光ピックアップ装置を実現する。【選択図】図４（ａ）
2008065868.tif 000002
【特許請求の範囲】
【請求項１】
レーザー光源と、
前記レーザー光源から出射されたレーザー光を光ディスク上に集光するための対物レンズと、
前記光ディスクの面ぶれによるフォーカスずれや偏心によるトラッキングずれを補正するためのアクチュエータと、
前記対物レンズに前記レーザー光を導くための光学系と、
前記光ディスクから反射された光を検出する少なくとも２つ以上の領域で分割されている構成の光検出器を備え、
前記光検出器の一方の領域の出力信号と他方の領域の出力信号の差動演算出力よりトラッキング制御信号およびウォブル信号が得られ、前記レーザー光源の出射パワーに対して前記レーザー光源の光軸が傾くことにより、前記光検出器の領域間の光量分布差が生じた場合に前記光検出器の各領域のＲＦ信号または記録発光パターンの戻り光の出力が等しくなるように前記対物レンズと前記光源の相対位置を調整することで補正する機能を有し、
前記レーザー光源の出射パワーによる前記レーザー光源の光軸の変動に対してウォブル信号のノイズ成分を低減させることで安定したアドレス信号の読み取り性能を確保できることを特徴とする光ピックアップ装置。
【請求項２】
前記レーザー光源の出射パワーに対して前記レーザー光源の光軸が傾くことにより前記光検出器の領域間の光量分布差が生じた場合に、前記光検出器の各領域の信号出力が等しくなるように前記アクチュエータを前記光ディスクの半径方向に移動させることで前記対物レンズの位置を調整し、前記光検出器上の領域間の光量分布差を補正する機能を有することを特徴とする請求項１記載の光ピックアップ装置。
【請求項３】
前記レーザー光源の出射パワーに対して前記レーザー光源の光軸が傾くことにより前記光検出器の領域間の光量分布差が生じた場合に、前記光検出器の各領域の信号出力が等しくなるように前記レーザー光源の固定角度を調整し、前記光検出器上の領域間の光量分布差を補正する機能を有することを特徴とする請求項１記載の光ピックアップ装置。
【請求項４】
複数の波長のレーザー光が同一基板上より出射されるレーザー光源と、
前記レーザー光源から出射されたレーザー光を光ディスク上に集光するための対物レンズと、
前記光ディスクの面ぶれによるフォーカスずれや偏心によるトラッキングずれを補正するためのアクチュエータと、
前記対物レンズに前記レーザー光を導くための光学系と、
前記光ディスクから反射された光を検出する少なくとも２つ以上の領域で分割され、レーザー光源と共通パッケージに集積されている構成の光検出器を備え、
前記光検出器の一方の領域の出力信号と他方の領域の出力信号の差動演算出力よりトラッキング制御信号およびウォブル信号が得られ、前記レーザー光源の発光点位置が用いる波長で異なることにより前記光検出器の領域間の光量分布差が生じた場合に、前記光検出器の各領域のＲＦ信号または記録発光パターンの戻り光の出力が等しくなるように前記対物レンズと前記光源の相対位置を調整することで補正する機能を有し、
前記レーザー光源の出射パワーによる前記レーザー光源の光軸の変動に対してウォブル信号のノイズ成分を低減させることで安定したアドレス信号の読み取り性能を確保できることを特徴とする光ピックアップ装置。
【請求項５】
前記レーザー光源の波長と発光位置の差により前記光検出器の領域間の光量分布差が生じた場合に、前記光検出器の各領域の信号出力が等しくなるように前記アクチュエータを前記光ディスクの半径方向に移動させることで前記対物レンズの位置を調整し、前記光検出器上の領域間の光量分布差を補正する機能を有することを特徴とする請求項１記載の光ピックアップ装置。
【請求項６】
前記レーザー光源の波長と発光位置の差により前記光検出器の領域間の光量分布差が生じた場合に、前記光検出器の各領域の信号出力が等しくなるように前記レーザー光源の固定角度を調整し、前記光検出器上の領域間の光量分布差を補正する機能を有することを特徴とする請求項１記載の光ピックアップ装置。
【請求項７】
前記レーザー光源の取り付け角度および位置を調整する機構として圧電素子を用いることを特徴とする請求項３または請求項６記載の光ピックアップ装置。
【請求項８】
前記レーザー光源の取り付け角度および位置を調整する機構として小型ステッピングモータを用いることを特徴とする請求項３または請求項６記載の光ピックアップ装置。
【発明の詳細な説明】
【技術分野】
【０００１】
本発明はレーザー光源を用いて光ディスク等の情報記録媒体に対して光学的に記録あるいは再生する光ピックアップ装置および光ピックアップ装置の制御方式に関する。
【背景技術】
【０００２】
現在、記録系光ディスクとしてＢＤなどの高密度記録光ディスク，ＤＶＤおよびＣＤで数多くのフォーマットが存在しているが、多くの記録系光ディスクでは記録中にアドレス情報を読み取り、記録位置を制御する必要がある。
【０００３】
また、記録系光ディスクでは予め案内溝が形成されており、この案内溝は蛇行した形状になっておりウォブルと呼ばれている。このウォブルより得られるウォブル信号（以下ＷＢＬ信号）は記録中の光ディスクの回転数制御を行うためのものであると同時にアドレス情報を含む。
【０００４】
このＷＢＬ信号を記録中に読み取る際にピットを形成するために出射される高出力記録発光パターンの光ディスクから反射された光が光検出器に入射することで、ノイズ成分となりＷＢＬ信号の読み取り性能を劣化させる大きな要因となる。また、記録済み光ディスクにおいても形成されたピットの回折光や明暗パターンによる情報光信号（以下ＲＦ信号）が同様にノイズ成分となる。
【０００５】
図６は従来の一般的な複数のレーザー光源および光検出器を同一基板上に集積化したレーザー光源・光検出器集積ユニット（以下ＬＤＵ）を用いた光ピックアップ装置の光学構成図を示している。図６において、ＬＤＵ６０１のレーザー光源より出射したレーザー光は、コリメートレンズ６０２により平行光に変換された後に、立ち上げミラー６０３を経て、偏光ホログラムと波長板が一体化された偏光ホログラムユニット６０４に入射する。往路のレーザー光は偏光ホログラムユニット６０４を透過し、波長板により直線偏光から円偏光に変換され、対物レンズ６０５により光ディスク６０６上の記録面に集光される。光ディスク６０６で反射した光は、往路と反対方向のベクトル成分を有する円偏光となり、対物レンズ６０５を経て偏光ホログラムユニット６０４により往路と直行するベクトル成分を有する直線偏光に変換され、大部分の光が回折された後、往路と同様な経路を経てＬＤＵ６０１内部に配されている光検出器６０７に入射され電気信号に変換される。得られた信号を基に光ディスクに対して記録または再生を行う際に光ディスクの面ぶれなどによるフォーカスずれや、偏心などによるトラッキングずれを補正するためのアクチュエータ６０８により対物レンズ６０５の位置が制御される。
【０００６】
図7に従来の一般的な光ディスク記録再生装置の光検出器７０１からトラッキング制御回路７０５、ＷＢＬ検出制御回路７０８およびＲＦ検出回路７１０までのブロック図を示す。光ディスクのトラックの接線方向および法線方向にそれぞれ２分割され、４分割された領域を有する光検出器７０１において、領域Ａと領域Ｃの出力信号は加算器７０２にて加算される。加算された信号をＴ１とする。同様に領域Ｂと領域Ｄの出力信号は加算器７０３にて加算され、加算された信号をＴ２とする。Ｔ１信号とＴ２信号を差動アンプ７０４により差動演算を行うことでプッシュプル方式によるトラッキングエラー信号（以下ＴＥ信号）が得られる。また、ＷＢＬ信号についても蛇行しているトラックの形状から得るためＴＥ信号と同様にＴ１信号とＴ２信号を差動アンプ７０７により差動演算した信号から検出することができる。しかし、プッシュプル方式に基づいたＷＢＬ信号検出方式を用いる場合、レーザー光源の取り付け、調整誤差などによりレーザー光源の光軸がずれ、ファーフィールドパターン(以下ＦＦＰ)にもずれが生じるため光ディスクの記録面に形成される光スポットの光量がアンバランスになる。このため、光検出器に入射される光の光量もアンバランスになり、信号出力にオフセットが生じる。また、光検出器としてレーザー光源と別のパッケージを用いた場合、光検出器についても取り付け、調整誤差などにより同様にオフセットが生じる。前記オフセットが生じた場合、図８に示すようにＴ１信号とＴ２信号に出力差が生じ、差動演算後の出力信号にＲＦ信号がキャンセルできずにＷＢＬ信号にもノイズ成分として残存してしまう。ノイズ成分の残存によりＷＢＬ信号のノイズレベルが増加するためＣ／Ｎレベルが低下し、安定してアドレス情報を得ることができなくなる。このノイズを低減しＷＢＬ信号の読み取り性能を向上させる手段として特許文献１のような手段が提案されている。従来の高出力記録発光パターンの光ディスクからの反射光によるノイズ成分の低減手段を図９に示し、従来のノイズ成分の低減手段について説明する。
【０００７】
図９において、光検出器９０１の領域Ｂと領域Ｄの出力を加算器９０３により加算したＴ２信号は直接差動アンプ９０７に入力される。一方で領域Ａと領域Ｃの出力を加算器９０２により加算したＴ１信号は、ゲイン調整手段としてのゲイン可変アンプ９１１を介し差動アンプ９０７に入力される。差動アンプ９０７の出力は、帰還ループを介してゲイン可変アンプ９１１に帰還され、差動アンプ９０７の出力が極性検出回路９１２によって極性が検出され、Ｔ１信号とＴ２信号の再生ＲＦ信号の出力が等しくなるように可変抵抗素子９１３の値を変化させる。その結果、図１０に示すようにＴ１信号とＴ２信号の再生ＲＦ信号の出力がほぼ等しくなることで差動演算後のＷＢＬ信号のノイズ成分が低減し、ＷＢＬ信号のＣ／Ｎレベルを向上することができる。
【０００８】
また、レーザー光源の光軸を補正する手段としては、レーザー光源や光検出器などの部品の製造バラつきを機構的に補正する手段として特許文献２で、光学素子を用いる手段として特許文献３で提案されている。
【特許文献１】特開平０５−１２８５６４号公報
【特許文献２】特開２０００−１１３４７１号公報
【特許文献３】特開２００５−３２７３８８号公報
【発明の開示】
【発明が解決しようとする課題】
【０００９】
図１１は、レーザー光源の出射パワーによるレーザー光源の光軸の角度変動が大きく生じた状態でのＷＢＬ信号を構成している信号成分にＲＦ信号が残存している状態を示している。また、レーザー光源の出射パワーによるレーザー光源の光軸の角度変動の関係を図１２に、レーザー光源の光軸の傾きの変動に対する光検出器の分割された各領域と差動演算後でのＲＦ信号または記録発光パターンの戻り光の残存成分の関係を図１３に示す。
【００１０】
図１２の１２０１はレーザー光源の出射パワーに対するレーザー光源の光軸傾きの関係を示し、図１２に示すようにレーザー光源の出射パワーによりレーザー光源の光軸に大きな変動がある場合、ＦＦＰも大きく変動し、光ディスクの記録面に形成される光スポットの光量バランスも大きく崩れる。このため、光検出器に入射される光の光量バランスも大きく崩れるため、ＷＢＬ信号を構成する光検出器の分割された領域間でのＲＦ信号または記録発光パターンの戻り光成分の出力差が大きくなり、図１３に示すように差動演算後でもＲＦ信号または記録発光パターンの戻り光成分がノイズとして残存し、ＷＢＬ信号のＣ／Ｎレベルが低下する。ここで、図１３の１３０１はレーザー光源の光軸傾きに対するＴ１信号のＲＦ信号または記録発光パターンの戻り光振幅の関係、１３０２はレーザー光源の光軸傾きに対するＴ２信号のＲＦ信号または記録発光パターンの戻り光振幅の関係、１３０３はレーザー光源の光軸傾きに対する差動演算後のＷＢＬ信号のノイズ残留成分の関係を示す。
【００１１】
差動演算される信号の一方のゲインを電気的に調整し、ＷＢＬ信号のノイズ成分となるＲＦ信号や記録発光パターンの戻り光成分を低減する方法（特許文献１）は非常に有効な手段であるが、記録中に光ディスクから反射される高出力記録発光パターンなどの高出力なノイズ成分やレーザー光の出射パワーによるレーザー光源の光軸傾きの変動が大きい場合、十分にＷＢＬ信号から記録発光パターンの戻り光成分などのノイズを除去できないためＷＢＬ信号のＣ／Ｎレベルが低下し、アドレス情報の読み取り性能が悪化するという課題がある。
【００１２】
さらに、他の課題としてレーザー光源の発光点位置ずれと波長の違いにより発生する、光検出器上の光量バランスのずれがある。ＬＤＵの同一基板上に複数の波長のレーザー光源が搭載されている場合、波長により発光点の位置があらかじめずれている。発光点位置が異なる場合、使用する波長でレーザー光源の光軸がずれ、ＦＦＰにずれが生じることで光ディスクの記録面に形成される光スポットの光量バランスずれが発生する。このため、光検出器に入射される光の光量バランスにもずれが生じる。この場合も同様に、ＷＢＬ信号から記録発光パターンの戻り光成分などのノイズを除去できずＷＢＬ信号のＣ／Ｎレベルが低下し、アドレス情報の読み取り性能が悪化するという課題がある。
【００１３】
また、前記レーザー光源の光軸補正手段（特許文献２，３）は、光ピックアップ装置製造時および同一基板上に形成された波長の異なるレーザー光源の発光点位置ずれなど固定された状態でのレーザー光源の光軸ずれの補正に対しては有効であるが、記録パワーなど動作上変化するパラメータによるレーザー光源の光軸変動やＦＦＰのズレに対する補正は不可能である。
【００１４】
本発明は、前記課題を解決するもので、レーザー光源の出射パワーに応じて変化する光量分布ズレやレーザー光源の発光点の位置ずれによるＦＦＰのズレを補正し、ＷＢＬ信号から十分に記録発光パターンの戻り光などのノイズ成分を除去することで安定したアドレス情報の読み取り性能が確保できる光ピックアップ装置を提供することを目的とする。
【課題を解決するための手段】
【００１５】
本発明は、レーザー光源と前記レーザー光源から出射されたレーザー光を光ディスク上に集光するための対物レンズと、前記光ディスクの面ぶれによるフォーカスずれや偏心によるトラッキングずれを補正するためのアクチュエータと、前記対物レンズに前記レーザー光を導くための光学系と、前記光ディスクから反射された光を検出する少なくとも２つ以上の領域で分割されている構成の光検出器を備え、前記光検出器の一方の領域の出力信号と他方の領域の出力信号の差動演算出力よりトラッキング制御信号およびＷＢＬ信号が得られ、前記レーザー光源の出射パワーに対して出射光の光量分布が変動することにより、前記光検出器の領域間の光量分布差が生じた場合に光検出器の各領域のＲＦ信号または記録発光パターンの戻り光の出力が等しくなるように前記対物レンズと前記光源の相対位置を調整することで補正する機能を有し、前記レーザー光源の出射パワーによる出射光の光量分布の変動に対して安定したアドレス信号の読み取り性能を確保できることを特徴とする光ピックアップ装置である。
【００１６】
さらに、複数の波長のレーザー光源を有しているＬＤＵを用いる場合、レーザー光源の発光点位置が用いる波長で異なることにより生じる光検出器の領域間の光量分布差を光検出器の各領域のＲＦ信号または記録発光パターンの戻り光の出力が等しくなるように前記対物レンズと前記光源の相対位置を調整することで補正する機能を有し、前記レーザー光源の出射パワーによる出射光の光量分布の変動に対してＷＢＬ信号のノイズ成分を低減させることで安定したアドレス信号の読み取り性能を確保できることを特徴とする光ピックアップ装置である。
【００１７】
さらには、前記アクチュエータを光ディスクの半径方向に移動させることで対物レンズの位置およびレーザー光源の固定角度と位置を調整することでレーザー光源の出射パワーに対するレーザー光源の光軸の傾きや、レーザー光源の発光点位置が用いる波長で異なることにより生じる光検出器の領域間の光量分布差を前記光検出器の各領域の信号出力が等しくなるように補正する機能を有することを特徴とする光ピックアップ装置である。
【発明の効果】
【００１８】
本発明は、光検出器より出力される各領域のＲＦ信号または記録発光パターンの戻り光の出力振幅が均等になるように対物レンズ、またはレーザー光源の光軸、またはレーザー光源の固定位置を調整することでＷＢＬ信号におけるＲＦ信号または記録発光パターンの戻り光によるノイズを減少させ、ＷＢＬ信号のＣ／Ｎレベルを最大で約１０ｄＢ改善することが可能であり、アドレス信号の読み取り性能を向上することができる。
【発明を実施するための最良の形態】
【００１９】
以下発明を実施するための最良の形態について、図面を参照しながら説明する。
【００２０】
以下の実施の形態１＆２に示す光ピックアップ装置の対物レンズと光源の相対位置を自動調整する補正機能はともに実使用時に用いられる。
【００２１】
(実施の形態１)
図１は本発明の実施形態１における光ピックアップ装置の光学構成図，図２は光ディスク記録再生装置の光検出器から信号処理回路までのブロック図，図３は光検出器より出力される信号を示す。
【００２２】
図１(ａ)および図２を参照して、本発明の実施の形態１における光ピックアップ装置の光学構成およびＲＦ信号または記録発光パターンの戻り光の信号振幅が均等になるように対物レンズの固定位置を調整する光ピックアップ装置について説明する。
【００２３】
図１(a)は本実施形態におけるレーザー光源の光軸傾き発生時の光学構成図である。図１(ａ)において、ＬＤＵ１０１のレーザー光源より出射したレーザー光は、コリメートレンズ１０２により平行光に変換された後に、立ち上げミラー１０３を経て、偏光ホログラムと波長板が一体化された偏光ホログラムユニット１０４に入射する。往路のレーザー光は偏光ホログラムユニット１０４を透過し、直線偏光から円偏光に変換され、対物レンズ１０５により光ディスク１０６上の記録面に集光される。光ディスク１０６で反射した光は、往路と反対方向のベクトル成分を有する円偏光となり、対物レンズ１０５を経て偏光ホログラムユニット１０４により往路と直行するベクトル成分を有する直線偏光に変換され、大部分の光が回折された後、往路と同様な経路を経てＬＤＵ１０１内部に配されている光検出器１０７に入射され電気信号に変換される。得られた信号を基に光ディスクに対して記録または再生を行う際に光ディスクの面ぶれなどによるフォーカスずれや、偏心などによるトラッキングずれを補正するためのアクチュエータ１０８により対物レンズ１０５の位置が制御される。
【００２４】
図２において、光検出器２０１（図１の光検出器１０７）に入射された光の出力信号は光ディスクのトラックの接線方向および半径方向にそれぞれ２分割され、４分割された領域で信号が得られるように構成されている。光検出器２０１の領域Ａと領域Ｃの出力信号が加算器２０２、領域Ｂと領域Ｄの出力信号が加算器２０３にてそれぞれ加算される。加算された信号をそれぞれＴ１信号，Ｔ２信号とするとき、Ｔ１信号とＴ２信号を差動アンプ２０４により差動演算を行うことでＴＥ信号が得られる。また、ＷＢＬ信号についてもＴ１信号とＴ２信号を差動アンプ２０７により差動演算した信号から検出することができる。ＬＤＵ１０１に搭載されているレーザー光源の光軸の傾きが大きく変動したとき、ＦＦＰも大きく変動し、光ディスク１０６の記録面に形成される光スポットの光量バランスずれが発生する。これにより、図１１に示すように光検出器より出力されるＴ１信号とＴ２信号に大きな出力差が生じる。このときにＴ１信号およびＴ２信号から出力されるＲＦ信号または記録発光パターンの戻り光成分は、振幅比較器２１１により振幅の比較がなされ、振幅の極性が極性検出回路２１２により検出される。図３に示すようにＴ１信号とＴ２信号の振幅が均等になるようにＤＣオフセット調整部２１３から加算器２１４を介してアクチュエータ２０６（図１のアクチュエータ１０８）に信号を注入しオフセットを加えることで対物レンズ１０５の設定位置を光ディスクのトラックの半径方向に移動し調整する。
【００２５】
調整誤差としては例えばＴ１信号とＴ２信号の振幅差が±５％以下が望ましい。前記調整により、レーザー光源のＦＦＰが図１(a)の実線の状態から破線の状態に改善することができる。ＷＢＬ信号を構成するＴ１信号とＴ２信号から出力されるＲＦ信号または記録発光パターンの戻り光に振幅差が無くなるため、差動アンプ２０７での差動演算後にキャンセルされノイズ成分を低減することができる。これによりＷＢＬ信号のＣ／Ｎレベルが向上し、アドレス情報の読み取り性能も向上する。
【００２６】
図１(b)は本実施形態におけるレーザー光源の発光点位置に差異がある場合の光学構成図である。図１（ｂ）に示すようにレーザー光源の発光点位置が用いる波長で異なることにより生じる光検出器の領域間の光量分布差についても同様に光検出器の各領域のＲＦ信号または記録発光パターンの戻り光の出力振幅が均等になるようにアクチュエータ２０６（図１のアクチュエータ１０８）にＤＣ量を注入しオフセットを加えることにより対物レンズ１０５の設定位置を光ディスク１０６の半径方向に調整することで改善することができる。
【００２７】
本発明は対物レンズの制御部であるアクチュエータにDCオフセットを加えることで図３に示す効果が得られ、部品点数を増やすことなくＷＢＬ信号のノイズ成分を低減し安定したアドレス信号の読み取り性能が確保できる。
【００２８】
（実施の形態２）
図４は本発明の実施形態２における光ピックアップ装置の光学構成図、図５は光ディスク記録再生装置の光検出器から信号処理回路までのブロック図を示す。
【００２９】
図４(ａ)および図５を参照して、本発明の実施の形態２における光ピックアップ装置の光学構成およびＲＦ信号または記録発光パターンの戻り光の信号振幅が均等になるようにレーザー光源の光軸を調整する光ピックアップ装置について説明する。
【００３０】
図４(a)は本発明の実施形態２におけるレーザー光源の光軸傾き発生時の光学構成図である。図４(ａ)において、ＬＤＵ４０１のレーザー光源より出射したレーザー光は、コリメートレンズ４０２により平行光に変換された後に、立ち上げミラー４０３を経て、偏光ホログラムと波長板が一体化された偏光ホログラムユニット４０４に入射する。往路のレーザー光は偏光ホログラムユニット４０４を透過し、直線偏光から円偏光に変換され、対物レンズ４０５により光ディスク４０６上の記録面に集光される。光ディスク４０６で反射した光は、往路と反対方向のベクトル成分を有する円偏光となり、対物レンズ４０５を経て偏光ホログラムユニット４０４により往路と直行するベクトル成分を有する直線偏光に変換され、大部分の光が回折された後、往路と同様な経路を経てＬＤＵ４０１内部に配されている光検出器４０７に入射され電気信号に変換される。得られた信号を基に光ディスクに対して記録または再生を行う際に光ディスクの面ぶれなどによるフォーカスずれや、偏心などによるトラッキングずれを補正するためのアクチュエータ４０８により対物レンズ４０５の位置が制御される。
【００３１】
本光ピックアップ装置は、レーザー光源光軸角度調整可動部４１０とレーザー光源光軸角度調整支持部４１１とレーザー光源光軸角度スライド機構４１２を備え、出射パワーに応じて変動するレーザー光源の光軸の傾きに対し、光検出器４０７より出力される光ディスク４０６のトラック方向に２分割された領域のＲＦ信号または記録発光パターンの戻り光の出力が２つの領域で等しくなるようにレーザー光源光軸角度調整可動部４１０にＤＣオフセットを注入し、ＬＤＵ４０１の取り付け角度を補正することでウォブル信号のノイズ成分が低減し、安定したアドレス情報の読み取り性能を有した光ピックアップ装置が実現できる。ここで４１３はレーザー光源光軸位置調整可動部、４１４はレーザー光源光軸位置調整支持部、４１５はレーザー光源光軸位置スライド機構、４１６はレーザー光源光軸角度調整支点固定部である。
【００３２】
図５において、光検出器５０１（図１の光検出器４０７）に入射された光の出力信号は光ディスクのトラックの接線方向および半径方向にそれぞれ２分割され、４分割された領域で信号が得られるように分割され構成されている。光検出器５０１の領域Ａと領域Ｃの出力信号が加算器５０２、領域Ｂと領域Ｄの出力信号が加算器５０３にてそれぞれ加算される。加算された信号をそれぞれＴ１信号，Ｔ２信号とするとき、Ｔ１信号とＴ２信号を差動アンプ５０４により差動演算を行うことでＴＥ信号が得られる。また、ＷＢＬ信号についてもＴ１信号とＴ２信号を差動アンプ５０７により差動演算した信号から検出することができる。ＬＤＵ５０１に搭載されているレーザー光源の光軸の傾きが大きく変動したとき、ＦＦＰも大きく変動し、光ディスク５０６の記録面に形成される光スポットの光量バランスずれが発生する。これにより、図１１に示すように光検出器より出力されるＴ１信号１１０１とＴ２信号１１０２に大きな出力差が生じる。このときにＴ１信号およびＴ２信号から出力されるＲＦ信号または記録発光パターンの戻り光成分は、振幅比較器５１１により振幅の比較がなされ、振幅の極性が極性検出回路５１２により検出される。図３に示すようにＴ１信号とＴ２信号の振幅が均等になるようにＤＣオフセット調整部５１３からレーザー光源光軸角度調整部５１４（図４のレーザー光源光軸角度調整可動部４１０）に信号を注入しオフセットを加えることによりＬＤＵの固定位置を調整しレーザー光源の光軸傾きを補正する。調整誤差としては例えばＴ１信号とＴ２信号の振幅差が±５％以下が望ましい。
【００３３】
前記調整により、レーザー光源のＦＦＰが図４（ａ）の実線の状態から破線の状態に改善することができる。ＷＢＬ信号を構成するＴ１信号とＴ２信号から出力されるＲＦ信号または記録発光パターンの戻り光に振幅差が無くなるため、差動アンプ５０７での差動演算後にキャンセルされノイズ成分を低減することができる。これによりＷＢＬ信号のＣ／Ｎレベルが向上し、アドレス情報の読み取り性能も向上する。
【００３４】
図４(b)は本発明の実施形態２におけるレーザー光源の発光点位置に差異がある場合の光学構成図である。図４（ｂ）に示すようにレーザー光源の発光点位置が用いる波長で異なることにより生じる光検出器の領域間の光量分布差についても同様に光検出器の各領域のＲＦ信号または記録発光パターンの戻り光の出力振幅が均等になるようにレーザー光源光軸位置調整部４１３に信号を注入しオフセットを加え、ＬＤＵの固定位置を調整し、レーザー光源の発光点位置を補正することで改善することができる。
【００３５】
ここで、レーザー光源の光軸角度調整部４１０および位置調整部４１３には、例えばピエゾ素子などの圧電素子や小型のステッピングモータを用いることで高精度に調整が可能である。また、図４においてはレーザー光源光軸角度調整部４１０および位置調整部４１３の反対側は固定バネ４１１および４１４を用い半固定状態としているが、両側に可動部を配し調整できる機構としても良い。
【００３６】
本発明はレーザー光源自体を調整しレーザー光源の光軸を補正することで図３に示す効果が得られるため、高い周波数特性を必要とするアクチュエータよりも容易にＷＢＬ信号のノイズ成分を低減し安定したアドレス信号の読み取り性能が確保できる。また、図１（ｃ）に示すような偏光ホログラムユニットを用いない構成の従来の光ピックアップにおいても同様の効果が得られる。
【産業上の利用可能性】
【００３７】
本発明にかかる光ピックアップ装置は、出射パワーにより変化するレーザー光源の光軸の傾きに対して安定したアドレス信号の読み取りが可能となるため光ディスク記録再生装置全般に用いることができる。
【図面の簡単な説明】
【００３８】
【図１（ａ）】本発明の実施形態１におけるレーザー光源の光軸傾き発生時の光学構成図
【図１（ｂ）】本発明の実施形態１におけるレーザー光源の発光点位置に差異がある場合の光学構成図
【図１（ｃ）】偏光ホログラムユニットを用いない構成の光ピックアップの光学構成図
【図２】本発明の実施形態１における光検出器から信号処理回路までのブロック図
【図３】本発明による改善後のＴ１、Ｔ２および差動演算後のＷＢＬ信号の波形図
【図４（ａ）】本発明の実施形態２におけるレーザー光源の光軸傾き発生時の光学構成図
【図４（ｂ）】本発明の実施形態２におけるレーザー光源の発光点位置に差異がある場合の光学構成図
【図５】本発明の実施形態２における光検出器から信号処理回路までのブロック図
【図６】一般的な光ピックアップ装置の光学構成図
【図７】一般的な光ピックアップ装置を用いた光ディスク記録再生装置の光検出器から信号処理回路までのブロック図
【図８】一般的な光ピックアップ装置を用いた場合のＴ１、Ｔ２および差動演算後のＷＢＬ信号の波形図
【図９】従来のＷＢＬ信号のノイズ低減手段を用いた光ディスク記録再生装置の光検出器から信号処理回路までのブロック図
【図１０】従来のＷＢＬ信号のノイズ低減手段を用いた場合のＴ１、Ｔ２および差動演算後のＷＢＬ信号の波形図
【図１１】レーザー光源の光軸の変動が発生した場合のＴ１、Ｔ２および差動演算後のＷＢＬ信号の波形図
【図１２】レーザー光源の出射パワーとレーザー光源の光軸傾きの関係を示す図
【図１３】レーザー光源の光軸傾きと光検出器のＲＦ信号または記録発光パターンの戻り光振幅および差動演算後のノイズ残留成分の関係を示す図
【符号の説明】
【００３９】
１０１，４０１，６０１    ＬＤＵ
１０２，４０２，６０２    コリメートレンズ
１０３，４０３，６０３    立ち上げミラー
１０４，４０４，６０４    偏光ホログラムユニット
１０５，４０５，６０５    対物レンズ
１０６，４０６，６０６    光ディスク
１０７，４０７，６０７    光検出器
１０８，４０８，６０８    アクチュエータ
１０９，４０９，６０９    光学基台
４１０    レーザー光源光軸角度調整可動部
４１１    レーザー光源光軸角度調整支持部
４１２    レーザー光源光軸角度スライド機構
４１３    レーザー光源光軸位置調整可動部
４１４    レーザー光源光軸位置調整支持部
４１５    レーザー光源光軸位置スライド機構
４１６    レーザー光源光軸角度調整支点固定部
２０１，５０１，７０１，９０１    ４分割光検出器
２０２，２０３，２０９，２１４，５０２，５０３，５０９，７０２，７０３，７０９，９０２，９０３，９０９    加算器
２０４，５０４，７０４，９０４，２０７，５０７，７０７，９０７    差動アンプ
２０５，５０５，７０５，９０５    トラッキング制御回路
２０６，５０６，７０６，９０６    アクチュエータ
２０８，５０８，７０８，９０８    ＷＢＬ検出制御回路
２１０，５１０，７１０，９１０    ＲＦ検出回路
２１１，５１１    振幅比較器
２１２，５１２，９１２    極性検出回路
２１３，５１３    ＤＣオフセット調整部
５１４    ＬＤＵ調整可動部
９１１    ゲイン可変アンプ
９１３    可変抵抗素子
３０１，８０１，１００１，１１０１    ４分割光検出器のＴ１（Ａ＋Ｃ）ＷＢＬ信号
３０２，８０２，１００２，１１０２    ４分割光検出器のＴ２（Ｂ＋Ｄ）ＷＢＬ信号
３０３，８０３，１００３，１１０３    差動演算後のＷＢＬ信号
１２０１    レーザー光源の出射パワーに対するレーザー光源の光軸傾きの関係
１３０１    レーザー光源の光軸傾きに対するＴ１信号のＲＦ信号または記録発光パターンの戻り光振幅の関係
１３０２    レーザー光源の光軸傾きに対するＴ２信号のＲＦ信号または記録発光パターンの戻り光振幅の関係
１３０３    レーザー光源の光軸傾きに対する差動演算後のＷＢＬ信号のノイズ残留成分の関係
【図１（ａ）】
2008065868.tif 000003
【図１（ｂ）】
2008065868.tif 000004
【図１（ｃ）】
2008065868.tif 000005
【図２】
2008065868.tif 000006
【図３】
2008065868.tif 000007
【図４（ａ）】
2008065868.tif 000008
【図４（ｂ）】
2008065868.tif 000009
【図５】
2008065868.tif 000010
【図６】
2008065868.tif 000011
【図７】
2008065868.tif 000012
【図８】
2008065868.tif 000013
【図９】
2008065868.tif 000014
【図１０】
2008065868.tif 000015
【図１１】
2008065868.tif 000016
【図１２】
2008065868.tif 000017
【図１３】
2008065868.tif 000018